(57)【要約】【課題】  本発明の課題は、蓄冷材を庫内においた場合に容積の減少を抑制するとともに使い勝手が良好な冷蔵庫および冷凍庫を提供することにある。【解決手段】  本発明に関わる冷蔵庫は、食品を貯蔵する複数の冷凍室４、５と、該複数の冷凍室４、５を冷却する冷却手段とを有する冷蔵庫１であって、冷凍室４とその下方の冷凍室５との間の空間に、低温で凍結して低温状態を保つ蓄冷材９を保持する保持部ｒ１ａ、ｒ１ｂ、ｒ２ａ、ｒ２ｂ、ｒ３を備えている。望ましくは、蓄冷材９は、冷気が通るための凹状の切り欠き部９Ｋ、９Ｋを有している。【選択図】  図６
2013076495.tif 000002
【特許請求の範囲】
【請求項１】
食品を貯蔵する複数の冷凍室と、該複数の冷凍室を冷却する冷却手段とを有する冷蔵庫であって、
前記冷凍室とその下方の前記冷凍室との間の空間に、低温で凍結して低温状態を保つ蓄冷材を保持する保持部を備える
ことを特徴とする冷蔵庫。
【請求項２】
前記蓄冷材は、冷気が通るための凹状の切り欠き部を有する
ことを特徴とする請求項１に記載の冷蔵庫。
【請求項３】
前記蓄冷材は、鉛直方向に複数配置される
ことを特徴とする請求項１または請求項２に記載の冷蔵庫。
【請求項４】
前記保持部は、上の前記保持部より下の前記保持部を長く形成した
ことを特徴とする請求項３に記載の冷蔵庫。
【請求項５】
前記蓄冷材は、水平方向に複数配置される
ことを特徴とする請求項１または請求項２に記載の冷蔵庫。
【請求項６】
他の蓄冷材の嵌合凹部に嵌合する嵌合凸部と、他の蓄冷材の嵌合凸部が嵌合する嵌合凹部とを有する蓄冷材を備え、
前記嵌合凸部が嵌合される前記嵌合凹部は、当該嵌合凸部とほぼ同じ大きさまたは若干大きい異なる形状を有し、
前記蓄冷材を複数着脱可能とした
ことを特徴とする請求項１から請求項５のうちの何れか一項に記載の冷蔵庫。
【請求項７】
前記蓄冷材は、前記冷凍室の収納ケースの底板に載置されるとともに当該蓄冷材を支持する凸状の足支持部を有し、
かつ、前記収納ケースの底板に前記足支持部が嵌合される足受け部を有する
ことを特徴とする請求項６に記載の冷蔵庫。
【請求項８】
前記蓄冷材は、冷気が通るための凹状の切り欠き部を有する
ことを特徴とする請求項６または請求項７に記載の冷蔵庫。
【請求項９】
食品を貯蔵する複数の冷凍室と、該複数の冷凍室を冷却する冷却手段とを有する冷凍庫であって、
前記冷凍室とその下方の前記冷凍室との間の空間に、低温で凍結して低温状態を保つ蓄冷材を保持する保持部を備える
ことを特徴とする冷凍庫。
【請求項１０】
他の蓄冷材の嵌合凹部に嵌合する嵌合凸部と、他の蓄冷材の嵌合凸部が嵌合する嵌合凹部とを有する蓄冷材を備え、
前記嵌合凸部が嵌合される前記嵌合凹部は、当該嵌合凸部とほぼ同じ大きさまたは若干大きい異なる形状を有し、
前記蓄冷材を複数着脱可能とした
ことを特徴とする請求項９１に記載の冷凍庫。
【請求項１１】
前記蓄冷材は、冷気が通るための凹状の切り欠き部を有する
ことを特徴とする請求項９または請求項１０に記載の冷凍庫。
【発明の詳細な説明】
【技術分野】
【０００１】
本発明は、保冷効果がある蓄冷材を備える冷蔵庫および冷凍庫に関する。
【背景技術】
【０００２】
昨今、大震災が発生し、大震災に伴う地殻変動に起因する地震が頻発している。
【０００３】
そのため、停電が発生する可能性が従来以上に高まっている。
【０００４】
停電の場合、冷蔵庫は電源を絶たれるので冷凍サイクルが停止し、庫内の温度が上昇してしまう。そこで、冷蔵庫においても停電対策が、急がれる状況にある。
【０００５】
一方、日常冷蔵庫の使用に際して、冷蔵庫の扉を開放すると冷気が庫外に流出し、庫内の温度が上昇する。
【０００６】
そこで、庫内の温度上昇を防ぐ手段として、保冷効果のある蓄冷材を庫内においた冷蔵庫が市場に流通している。本冷蔵庫は、容器の中に蓄冷材を入れたり、蓄冷材を容器外に張り付けている。
【０００７】
なお、本願に係わる文献公知発明は、発明者等は特に把握していない。
【発明の概要】
【発明が解決しようとする課題】
【０００８】
ところで、冷蔵庫の内部の容器に蓄冷材を入れたり、容器の外部に蓄冷材を張り付けた場合、蓄冷材が冷蔵庫の内容積の一部を占有し、容積が減少する。
【０００９】
しかしながら、蓄冷材を庫内におくと、蓄冷材は一般に薄い矩形状等の形状を有しているので、冷気の流れを妨げる場合がある。
【００１０】
その一方、例えば、炊きたてのご飯をそのまま冷凍すると美味しいため、炊きたてのご飯等の熱負荷の大きい食品を冷凍室に入れる使用が一般的に行われている。また、前記したように、停電時、庫内の温度が上昇するため、保冷効果がある蓄冷材を庫内におきたいというニーズが存在する。
【００１１】
本発明は上記実状に鑑み、蓄冷材を庫内においた場合に容積の減少を抑制するとともに使い勝手が良好な冷蔵庫および冷凍庫の提供を目的とする。
【課題を解決するための手段】
【００１２】
上記目的を達成すべく、第１の本発明に関わる冷蔵庫は、食品を貯蔵する複数の冷凍室と、該複数の冷凍室を冷却する冷却手段とを有する冷蔵庫であって、前記冷凍室とその下方の前記冷凍室との間の空間に、低温で凍結して低温状態を保つ蓄冷材を保持する保持部を備えている。
【００１３】
第２の本発明に関わる冷凍庫は、第１の本発明の冷蔵庫を冷凍庫に適用したものである。
【発明の効果】
【００１４】
本発明によれば、蓄冷材を庫内においた場合に容積の減少を抑制するとともに使い勝手が良好な冷蔵庫および冷凍庫を実現できる。
【図面の簡単な説明】
【００１５】
【図１】本発明に関わる実施形態１の冷蔵庫を示す正面図である。
【図２】実施形態１の冷蔵庫の庫内の構成を表す図１のＡ−Ａ線断面図である。
【図３】製氷室扉、上段冷凍室扉を外した状態を冷蔵庫前上方から見た斜視図である。
【図４】比較(従来)例の冷蔵庫の図１のＡ−Ａ線断面図である。
【図５】製氷室扉、上段冷凍室扉を外し、蓄冷材を取り外した状態を冷蔵庫前上方から見た斜視図である。
【図６】(ａ)は蓄冷材を上段冷凍室と下段冷凍室との間に設置する状態を示す製氷室扉、上段冷凍室扉を外した冷蔵庫を前上方から見た斜視図であり、(ｂ)は(ａ)のＢ部を前方から見た縦断面図である。
【図７】(ａ)は蓄冷材の正面図であり、(ｂ)は蓄冷材の前面図であり、(ｃ)は蓄冷材の後面図であり、(ｄ)は蓄冷材の右側面図であり、(ｅ)は蓄冷材の左側面図であり、(ｆ)は蓄冷材の背面図である。
【図８】(ａ)は実施形態１の変形形態１の冷蔵庫の上段冷凍室と下段冷凍室との間の構成を示す製氷室扉、上段冷凍室扉を外した状態を冷蔵庫前上方から見た斜視図であり、(ｂ)は実施形態１の変形形態１の製氷室扉、上段冷凍室扉を外すとともに蓄冷材を設置した状態を冷蔵庫前上方から見た斜視図である。
【図９】上段冷凍室と下段冷凍室との間に複数の蓄冷材を配置した場合の図１のＡ−Ａ線断面概略図である。
【図１０】実施形態１の変形形態２の冷蔵庫に複数の蓄冷材を設置した状態を、製氷室扉、上段冷凍室扉を外すとともに横仕切部を省略して示す前面図である。
【図１１】実施形態１の変形形態２の他例の冷蔵庫に複数の蓄冷材を設置した状態を、製氷室扉、上段冷凍室扉を外すとともに横仕切部を省略して示す前面図である。
【図１２】(ａ)は実施形態１の変形形態３の蓄冷材の正面図であり、(ｂ)は蓄冷材の前面図であり、(ｃ)は蓄冷材の右側面図である。
【図１３】変形形態３の蓄冷材を上段冷凍室と下段冷凍室との間のスペースに複数並べて設置した状態を示す冷蔵庫を前上方から見た斜視図である。
【図１４】(ａ)は実施形態２の蓄冷材の正面図、(ｂ)は蓄冷材の上面図、(ｃ)は蓄冷材の下面図、(ｄ)は蓄冷材の右側面図、(ｅ)は蓄冷材の左側面図、(ｆ)は蓄冷材の背面図、(ｇ)は(ａ)のＢ−Ｂ線断面図である。
【図１５】(ａ)は蓄冷材同士の組み付け方法を示す図であり、(ｂ)は蓄冷材同士を組み付けた状態を示す図である。
【図１６】(ａ)は図１５(ｂ)の組み凸部と組み凹部との嵌合状態を示すＣ−Ｃ線断面拡大図であり、(ｂ)は(ａ)のＤ−Ｄ線断面図である。
【図１７】(ａ)〜(ｃ)は、蓄冷材の組み凸部の形状と蓄冷材の組み凹部の形状とのバリエーションを示す図１５(ｂ)の組み凸部と組み凹部との嵌合状態を示すＣ−Ｃ線断面拡大図である。
【図１８】蓄冷材を鉛直方向に重畳した状態を示す図である。
【図１９】蓄冷材を組み合わせて冷凍室の収納容器内に設置した状態を示す斜視図である。
【図２０】(ａ)は図１９のＥ方向矢視図であり、(ｂ)は冷凍室の収納容器に蓄冷材の下面の一対の足凸部が嵌合する足嵌合部を設けた図１９の一部切り欠き断面を含むＥ方向矢視図である。
【図２１】(ａ)は３つの蓄冷材をＨ型に組み付ける方法を示す図であり、(ｂ)はＨ型に組んだ蓄冷材を冷凍室の収納容器に設置した状態を示す斜視図である。
【図２２】(ａ)は実施形態２の別例の蓄冷材の正面図、(ｂ)は別例の蓄冷材の上面図、(ｃ)は別例の蓄冷材の下面図、(ｄ)は別例の蓄冷材の右側面図、(ｅ)は(ａ)のＦ−Ｆ線断面図である。
【図２３】(ａ)は実施形態２の別例の蓄冷材を収納容器に設置した場合の図１９のＥ方向矢視図であり、(ｂ)は冷凍室の収納容器に別例の蓄冷材の下面の一対の足凸部が嵌合する足嵌合部を設けた図１９の一部切り欠き断面を含むＥ方向矢視図である。
【図２４】(ａ)は実施形態２の変形形態１の蓄冷材の正面図、(ｂ)は蓄冷材の上面図、(ｃ)は蓄冷材の下面図、(ｄ)は蓄冷材の右側面図、(ｅ)は(ａ)のＧ−Ｇ線断面図である。
【図２５】実施形態２の変形形態１の蓄冷材を適用した図１９のＥ方向矢視図であり、(ｂ)は冷凍室の収納容器に蓄冷材の下面の一対の足凸部が嵌合する足嵌合部を設けた図１９の一部切り欠き断面を含むＥ方向矢視図である。
【図２６】(ａ)は実施形態２の変形形態１の別例の蓄冷材の正面図、(ｂ)は蓄冷材の上面図、(ｃ)は蓄冷材の下面図、(ｄ)は蓄冷材の右側面図、(ｅ)は(ａ)のＨ−Ｈ線断面図である。
【図２７】(ａ)は実施形態２の変形形態１の別例の蓄冷材を収納容器に設置した場合の図１９のＥ方向矢視図であり、(ｂ)は冷凍室の収納容器に実施形態２の変形形態１の別例の蓄冷材の下面の一対の足凸部が嵌合する足嵌合部を設けた図１９の一部切り欠き断面を含むＥ方向矢視図である。
【図２８】(ａ)は実施形態３の蓄冷材の正面図、(ｂ)は蓄冷材の上面図、(ｃ)は蓄冷材の下面図、(ｄ)は蓄冷材の右側面図、(ｅ)は蓄冷材の左側面図、(ｆ)は(ａ)のＩ−Ｉ線断面図である。
【図２９】(ａ)は実施形態３の蓄冷材の組み付け方法を示す斜視図であり、(ｂ)は蓄冷材を組み付けた状態を示す図である。
【図３０】組み付けた蓄冷材を収納容器に設置した状態を示す図である。
【図３１】図３０のＪ方向矢視図である。
【図３２】(ａ)は実施形態３の蓄冷材の組み付け方法を示す斜視図であり、(ｂ)は蓄冷材の組み付けたものを収納容器に設置した状態を示す斜視図である。
【発明を実施するための形態】
【００１６】
以下、本発明の実施形態について添付図面を参照して説明する。
＜＜実施形態１＞＞
図１は、本発明に関わる実施形態１の冷蔵庫を示す正面図であり、図２は、実施形態１の冷蔵庫の庫内の構成を表す図１のＡ−Ａ線断面図である。
【００１７】
実施形態１の冷蔵庫１は、その本体部を成す冷蔵庫本体１Ｈに、上方から、冷蔵室２、製氷室３及び上段冷凍室４、下段冷凍室５、および野菜室６が画設されている。なお、製氷室３と上段冷凍室４は、冷蔵室２と下段冷凍室５との間に左右に並設している。
【００１８】
冷蔵室２及び野菜室６は、約３〜５℃の冷蔵温度帯の貯蔵室である。一方、製氷室３，上段冷凍室４及び下段冷凍室５は、約−１８℃の冷凍温度帯の貯蔵室である。
【００１９】
冷蔵室２は、前方側に左右に分割された観音開き（いわゆるフレンチ型）の冷蔵室扉２ａ，２ｂを備えている。
【００２０】
製氷室３，上段冷凍室４，下段冷凍室５，および野菜室６は、それぞれ引き出し式の製氷室扉３ａ，上段冷凍室扉４ａ，下段冷凍室扉５ａ，および野菜室扉６ａを備えている。
【００２１】
また、各扉(２ａ，２ｂ，３ａ，４ａ，５ａ，６ａ)における貯蔵室(２、３、４、５、６)側の面には、各扉の外縁に沿った態様でシール部材（図示せず）が設けられ、各扉の閉鎖時、貯蔵室内への温かい外気の侵入、及び貯蔵室からの冷気の漏出を抑制している。
【００２２】
冷蔵庫本体１Ｈは、各貯蔵室(２、３、４、５、６)に設けた扉(２ａ，２ｂ，３ａ，４ａ，５ａ，６ａ)の開閉状態をそれぞれ検知する扉センサ（図示せず）と、各扉が開放していると判定された状態が所定時間、例えば１分間以上継続された場合、ユーザ(使用者)に報知するアラーム（図示せず）とを備えている。
【００２３】
また、冷蔵室扉２ｂの前面には、ユーザが、各貯蔵室(２、３、４、５、６)の温度設定などをするための温度設定器２ｃを備えている。
【００２４】
図２に示すように、冷蔵庫本体１Ｈの庫内と庫外とは、冷蔵庫１の外郭を形成する外箱１aと貯蔵室(２〜６)を形成する内箱１ｂとの間に発泡断熱材（発泡ポリウレタン）を充填して形成される断熱箱体１０により隔てられている。断熱箱体１０は、充填される発泡断熱材の他に、複数の断熱性が高い真空断熱材(図示せず)を実装している。
【００２５】
冷蔵庫本体１Ｈは、冷蔵温度帯の冷蔵室２と、冷凍温度帯の上段冷凍室４及び製氷室３(図１参照)とが、上側断熱仕切壁５１により断熱的に仕切られている。
【００２６】
また、冷凍温度帯の下段冷凍室５と冷蔵温度帯の野菜室６とが、下側断熱仕切壁５２により、断熱的に仕切られている。
【００２７】
図２に示すように、下段冷凍室５の上部には、下段冷凍室５と製氷室３及び上段冷凍室４とを、上下方向に仕切る横仕切部５３を設けている。横仕切部５３の後方には、後に詳述する蓄冷材９が配設されている。
【００２８】
図３は、製氷室扉、上段冷凍室扉を外した状態を冷蔵庫前上方から見た斜視図である。
【００２９】
横仕切部５３の上部には、製氷室３と上段冷凍室４との間を左右方向に仕切る縦仕切部５４を設けている。
【００３０】
横仕切部５３は、図２に示すように、下側断熱仕切壁５２の前面(図２の左側)及び冷蔵庫本体１Ｈの左・右側壁１Ｈ１、１Ｈ２(図１参照)の前面とともに、下段冷凍室扉５ａの庫内側の面に設けたシール部材（図示せず）を受けて、下段冷凍室５と下段冷凍室扉５ａとの間での気体の移動(出入り)を抑制する。
【００３１】
また、製氷室扉３ａ及び上段冷凍室扉４ａの貯蔵室(製氷室３及び上段冷凍室４)側の面に設けたシール部材（図示せず）は、横仕切部５３，縦仕切部５４，上側断熱仕切壁５１及び冷蔵庫本体１Ｈの左右側壁１Ｈ１、１Ｈ２(図１参照)の前面と接することで、製氷室３及び上段冷凍室４と製氷室扉３ａ及び上段冷凍室扉４ａとの間での気体の移動(出入り)をそれぞれ抑制する。
【００３２】
なお、製氷室３，上段冷凍室４及び下段冷凍室５は、何れも冷凍温度帯なので、図３に示す横仕切部５３及び縦仕切部５４は、各扉(製氷室扉３ａ及び上段冷凍室扉４ａ)のシール部材を受けるために、少なくとも冷蔵庫本体１Ｈの前側にあればよい（図２参照）。すなわち、冷凍温度帯の製氷室３及び上段冷凍室４、下段冷凍室５は、同じ冷凍温度帯であるため、各貯蔵室間で気体の移動(出入り)があってもよく、断熱区画しなくてもよい。
【００３３】
図１に示す冷蔵室扉２ａ，２ｂの冷蔵室２の内側には、図２に示すように、複数の扉ポケット３２が備えられている。また、冷蔵室２は複数の棚３６が設けられており、棚３６により、冷蔵室２は縦方向に複数の貯蔵スペースに区画されている。
【００３４】
製氷室３、上段冷凍室４，下段冷凍室５及び野菜室６は、収納容器３ｂ，４ｂ，５ｂ，６ｂがそれぞれ設けられており、それぞれの貯蔵室の前方に備えられた扉(３ａ，４ａ，５ａ、６ａ)と一体に前後方向に移動し出し入れされる。なお、収納容器３ｂ，４ｂ，５ｂ，６ｂは透明または半透明としているが、透明または半透明でなくともよい。
【００３５】
すなわち、製氷室扉３ａ，上段冷凍室扉４ａ，下段冷凍室扉５ａ及び野菜室扉６ａは、ユーザがそれぞれ前面に設けた取手部３ｔ，４ｔ，５ｔ６ｔに手を掛けて手前側に引き出すことにより、製氷室３、上段冷凍室４、下段冷凍室５及び野菜室６の各収納容器３ｂ，４ｂ，５ｂ，６ｂが、手前側(図２の紙面左側)に引き出される構成である。
【００３６】
冷蔵庫１は、貯蔵室(２、３、４、５、６)(図１参照)を冷却するために、不図示の冷凍サイクル(冷却手段)を具備している。
【００３７】
冷凍サイクルは、冷媒を圧縮する圧縮機と、圧縮機から送られた冷媒の熱を放熱する放熱手段と、放熱手段から送られた冷媒を減圧する減圧手段のキャピラリチューブと、キャピラリチューブから送られた冷媒で空気を冷却する冷却手段の蒸発器とが配管で順次接続されている。この圧縮機、放熱手段、キャピラリチューブ、および蒸発器が接続された配管には熱媒体の冷媒が流れ(循環し)、冷凍サイクルとして機能する。
【００３８】
冷蔵庫１は、庫内を冷却するため、不図示の蒸発器が下段冷凍室５の略背部(図２参照)に備えられた蒸発器収納室８内に設けられている。蒸発器７の一例として、フィンチューブ型熱交換器がある。
【００３９】
蒸発器収納室８内の蒸発器の上方には、蒸発器で冷却された空気（以下、蒸発器で熱交換した低温の空気を「冷気」と称す）を庫内に循環させる送風手段として、不図示の庫内送風機が設けられている。庫内送風機の一例として、プロペラファンが挙げられる。
【００４０】
蒸発器を流れる冷媒と熱交換して冷却された冷気は、庫内送風機によって、各貯蔵室(２，６，３，４，５)の後方側に配置される冷蔵室送風ダクト１１ａ，野菜室送風ダクト１１ｂ、冷凍室送風ダクト１１ｃを介して、それぞれ冷蔵室２，野菜室６，製氷室３，上段冷凍室４，下段冷凍室５の各貯蔵室へ送られる。
【００４１】
各貯蔵室(２，６，３，４，５)への送風は、冷蔵室２への送風量を制御する冷蔵室ダンパ（図示せず）と、野菜室６への送風量を制御する野菜室ダンパ（図示せず）と，冷凍温度帯の製氷室３及び上段冷凍室４、下段冷凍室５への送風量を制御する冷凍室ダンパ（図示せず）とにより、送風路が開閉制御される。
【００４２】
冷蔵室ダンパが開状態で冷蔵室２への送風が行われる場合，冷気は，冷蔵室２の後方の冷蔵室送風ダクト１１ａを経て多段に開口された吹き出し口２ｃ(図２では吹き出し口２ｃが２つの場合を示す)から冷蔵室２に送られる。冷蔵室２を冷却した冷気は、冷蔵室２の下部に設けられた冷蔵室戻り口(図示せず)から蒸発器収納室８の側方に配設された冷蔵室戻りダクト（図示せず）を経て、蒸発器収納室８の下部に戻る。
【００４３】
不図示の野菜室ダンパが開状態で、冷蔵庫１の最下部の野菜室６への送風が行われる場合、冷気は、野菜室送風ダクト１１ｂを通過して野菜室吹き出し口５ｃから野菜室６に送風される。野菜室６を冷却した冷気は、不図示の野菜室戻りダクトを通過して、蒸発器収納室８の下部に戻る。
【００４４】
蒸発器収納室８の前方には、冷凍温度帯室の製氷室３、上段冷凍室４，下段冷凍室５と蒸発器収納室８との間を仕切る仕切部材１３が設けられている。仕切部材１３には、吹き出し口３ｃ，４ｃ，５ｃが形成されている。
【００４５】
冷凍室ダンパが開状態の場合、冷気は、冷凍室送風ダクト１１ｃを流れて、吹き出し口３ｃ，４ｃから、それぞれ製氷室３，上段冷凍室４，下段冷凍室５へ送風される。
【００４６】
本冷蔵庫１では、冷蔵室２への冷気の吹き出し口２ｃを冷蔵室２の上部に配設するとともに、上段冷凍室４、下段冷凍室５への冷気の吹き出し口３ｃ、４ｃをそれぞれ上段冷凍室４、下段冷凍室５の上部に配設する。また、野菜室６へ冷気を供給する野菜室吹き出し口５ｃを野菜室６の上部に配設している。これにより、冷蔵室２、製氷室３、上段冷凍室４、下段冷凍室５、および野菜室６のそれぞれで、冷気の下降流による冷却効果を高めている。
【００４７】
＜蓄冷材９の配置＞
図４は、比較(従来)例の冷蔵庫の図１のＡ−Ａ線断面図である。
【００４８】
ところで、従来、図４に示すように、同じ冷凍温度帯である上段冷凍室４と下段冷凍室５との間の横仕切部５３の裏面(後面)側には、何も配設されないデッドスペースｄｓ(図４中太い二点鎖線で示す)が存在する。
【００４９】
そこで、実施形態の冷蔵庫１では、図３に示すように、上段冷凍室４と下段冷凍室５との間の横仕切部(ドア補強部材)５３の裏面(後面)のスペースに、蓄冷材９を配置している。
【００５０】
図５は、製氷室扉、上段冷凍室扉を外し、蓄冷材を取り外した状態を冷蔵庫前上方から見た斜視図である。
【００５１】
図６(ａ)は、蓄冷材を上段冷凍室４と下段冷凍室５との間に設置する状態を示す製氷室扉、上段冷凍室扉を外した冷蔵庫を前上方から見た斜視図であり、図６(ｂ)は、図６(ａ)のＢ部を前方から見た縦断面図である。
【００５２】
冷蔵庫１では、横仕切部５３の後面側に後方側に延在して、蓄冷材９を保持する保持部材の保持リブｒ１ａ、ｒ１ｂが、鉛直方向に対向して、蓄冷材９が上斜め方向(図６(ｂ)の矢印α１参照)から保持リブｒ１ａ、ｒ１ｂの間に嵌入されるような寸法ｓ１(図６(ｂ)参照)を有して設けられている。
【００５３】
同様に、前方側の保持リブｒ１ａ、ｒ１ｂに対向して、後方側に後壁１Ｈ３から右側壁１Ｈ２にかけて、図６の矢印α１に示すように、蓄冷材９が上斜め方向から嵌入されるような寸法ｓ１を有した保持リブｒ２ａ、ｒ２ｂを、鉛直方向に対向させて設けている。
【００５４】
また、後壁１Ｈ３を形成する内箱１ｂには、蓄冷材９の後部９ｂ(図７参照)が後方側で下方から支持される下保持リブｒ３(図５、図６(ａ)参照)が前方に向けて凸状に突設されている。
【００５５】
加えて、横仕切部５３には、蓄冷材９の前縁被嵌入部９ａ１(図７(ａ)、(ｄ)参照)が嵌入される凹形状に形成される前縁嵌入部５３ａが形成されている。横仕切部５３の前縁嵌入部５３ａは、蓄冷材９が斜めに嵌入できるように、前縁被嵌入部９ａ１の幅寸法ｓ６(図７(ａ)参照)より若干大きい幅寸法(図３の冷蔵庫の左右方向の寸法)を有している。
【００５６】
＜蓄冷材９＞
図７は、蓄冷材を示す図である。図７(ａ)は蓄冷材の正面図であり、図７(ｂ)は蓄冷材の前面図であり、図７(ｃ)は蓄冷材の後面図であり、図７(ｄ)は蓄冷材の右側面図であり、図７(ｅ)は蓄冷材の左側面図であり、図７(ｆ)は蓄冷材の背面図である。
【００５７】
蓄冷材９は、扁平な形状を呈しており、前部９ａと後部９ｂの幅寸法ｓ４が中央部９ｃの幅寸法ｓ３より大きい寸法を有した形状に形成されている。
【００５８】
換言すれば、蓄冷材９は、前部９ａと後部９ｂとが、中央部９ｃよりそれぞれ前・後部９ａ、９ｂにかけて末広がりに拡張され、略同一厚さをもつ形状に形成されている。すなわち、蓄冷材９は、上面視で中央部９ｃの両側方に切り欠き９Ｋがそれぞれ形成された形状を有している。なお、蓄冷材９は、上面視で中央部９ｃの両側方に切り欠き９が形成されれば、その厚さは必ずしも略同一厚さでなくともよい。
【００５９】
このように、蓄冷材９に切り欠き９Ｋ、９Ｋを有するので、蓄冷材９を冷蔵庫１に設置した場合に、冷気が蓄冷材９の切り欠き９Ｋを通過して流れる。そのため、蓄冷材９が冷気の流れ(冷気通路)を阻害することなく、蓄冷材９の冷却効果を効果的に発揮できる。
【００６０】
加えて、ユーザは、蓄冷材９の切り欠き９Ｋが形成される中央部９ｃを把持して蓄冷材９を確実に持て、蓄冷材９の冷蔵庫１への設置、取り出しが容易である。
【００６１】
蓄冷材９の後端縁部９ｂ１の中央には、蓄冷材９をブロー成形する際に、エアーを入れる空気供給孔(図示せず)がキャップ９ｙにより閉塞されている。キャップ９ｙが配置される箇所９ｂ０は、ユーザの手がキャップ９ｙに掛からないように、凹設(凹状に形成)されている。
【００６２】
蓄冷材９の前縁部９ａ２の上縁には、前縁被嵌入部９ａ１が所定の幅寸法ｓ６を有して、外方に突設されている。
【００６３】
蓄冷材９のケースを成すカバー９ｋは、Ｐ．Ｐ(ポリポロピレン)、Ｐ．Ｅ(ポリエチレン)などの樹脂を用いて、キャップ９ｙを外した状態で空気供給孔からエアーが吹き込まれ、ブロー成形で形成されている。カバー９ｋの材質は、Ｐ．ＰやＰ．Ｅに限定されないのは勿論である。
【００６４】
蓄冷材９のカバー９ｋの内部には、低温で凍結して低温状態を保持する蓄冷材成分の保冷(冷却)ゲルが充填されている。蓄冷材成分は塩類と水の混合成分が一般的であり、凍結点以上の温度では液体もしくはゲル状の成分である。
【００６５】
こうして生産された蓄冷材９は、図６(ａ)、(ｂ)に示すように、冷蔵庫１の上段冷凍室扉４ａを外した状態で、ユーザが蓄冷材９を把持し、矢印α１のように、右が下になるように傾け、蓄冷材９の前右部９ａ３(図７(ａ)参照)を前方側の保持リブｒ１ａ、ｒ１ｂの間に嵌入するとともに、蓄冷材９の後右部９ｂ３(図７(ａ)参照)を後方側の保持リブｒ２ａ、ｒ２ｂの間に嵌入する、
そして、蓄冷材９の前縁被嵌入部９ａ１を横仕切部５３の前縁嵌入部５３ａ内に嵌入するとともに、蓄冷材９の後縁部９ｂ１を下保持リブｒ３(図６(ａ)参照)に載置することで、蓄冷材９が上段冷凍室４と下段冷凍室５との間の空間に設置される(図３参照)。
【００６６】
実施形態１の構成によれば、蓄冷材９は、従来の図４の上段冷凍室４と下段冷凍室５との間のデッドスペースｄｓに設置されるので、上段冷凍室４や下段冷凍室５の収納容積に影響することなく、つまり冷蔵庫１の容積を減少させることがなく、蓄冷材９を保管できる。
【００６７】
また、上段冷凍室４と下段冷凍室５との間に蓄冷材９が設置されるので、上段冷凍室扉４ａまたは／および下段冷凍室扉５ａが開放された際に庫内の温度が上昇するが、上段冷凍室４や下段冷凍室５内の冷却された温度を蓄冷材９による冷却効果により可及的に維持することができる。
【００６８】
また、上段冷凍室４や下段冷凍室５に温かいご飯を入れるなど、熱負荷の大きいものを入れた場合にも冷却温度の維持を図ることができる。
【００６９】
さらに、停電時には、蓄冷材９の保冷効果で上段冷凍室４と下段冷凍室５の冷却温度の維持を図ることができる。また、蓄冷材９を冷蔵室２や野菜室６に移して、蓄冷材９の保冷効果で冷蔵室２や野菜室６の冷却温度の維持を図ることが可能である。
【００７０】
なお、本実施形態では、蓄冷材９の支持部(保持部)として、右側壁１Ｈ２の内箱１ｂに前方側の保持リブｒ１ａ、ｒ１ｂと後方側の保持リブｒ２ａ、ｒ２ｂおよび下保持リブｒ３とを設けた場合を例示したが、これらのリブに代替して、後壁１Ｈ３の内箱１ｂに蓄冷材９を上下方向で余裕をもって挟持する下・上保持リブを左右に延在して設けるとともに横仕切部５３の前縁嵌入部５３ａを、蓄冷材９が前から後ろに移動させて嵌入できるように手前側に拡張して設け、蓄冷材９を前から後ろに傾けて嵌入し、蓄冷材９を設置する構成としてもよい。
【００７１】
＜実施形態１の変形形態１＞
図８(ａ)は、実施形態１の変形形態１の冷蔵庫の上段冷凍室４と下段冷凍室５との間の構成を示す製氷室扉、上段冷凍室扉を外した状態を冷蔵庫前上方から見た斜視図であり、図８(ｂ)は、実施形態１の変形形態１の製氷室扉、上段冷凍室扉を外すとともに蓄冷材を設置した状態を冷蔵庫前上方から見た斜視図である。
【００７２】
変形形態１の冷蔵庫１は、実施形態１の前方側の保持リブｒ１ａ、ｒ１ｂと後方側の保持リブｒ２ａ、ｒ２ｂを形成することなく、蓄冷材９を、前方の横仕切部５３に形成した前縁嵌入部５３ａと後壁Ｈ３から前方に突設した下保持リブｒ３で支持する構成としたものである。
【００７３】
変形形態１によれば、冷蔵庫１への蓄冷材９の設置が容易になる。なお、実施形態１の効果は同様に奏する。
【００７４】
なお、変形形態１では、蓄冷材９を下方から支持する支持部として、前方の横仕切部５３の前縁嵌入部５３ａと後壁Ｈ３から前方に突設した下保持リブｒ３を例示したが、蓄冷材９を支持する支持部であれば、横仕切部５３の前縁嵌入部５３ａと後壁Ｈ３から前方に突設した下保持リブｒ３に限定されないのは勿論である。この場合、蓄冷材９の前部９ａから突設される前縁被嵌入部９ａ１は必ずしも形成しなくともよい。
【００７５】
また、変形形態１では、一つの蓄冷材９を横仕切部５３の前縁嵌入部５３ａおよび後壁Ｈ３から前方に突設した下保持リブｒ３の上に載置する場合を例示したが、図９に示すように、複数の蓄冷材９を横仕切部５３の前縁嵌入部５３ａおよび後壁Ｈ３から前方に突設した下保持リブｒ３の上に載置してもよい。図９は、上段冷凍室と下段冷凍室との間に複数の蓄冷材を配置した場合の図１のＡ−Ａ線断面概略図である。
【００７６】
また、横仕切部５３の前縁嵌入部５３ａおよび後壁Ｈ３から前方に突設した下保持リブｒ３を形成することなく、その他の支持部を形成して、複数の蓄冷材９を当該支持部で支持するようにしてもよい。
【００７７】
なお、複数の蓄冷材９を配設する際、以下に説明するように、各蓄冷材９を互いに離間させて配置した場合、冷却面積が拡大し冷却効果が効果的に発揮され、保冷作用が効率的になされるので、より望ましい。
【００７８】
＜実施形態１の変形形態２＞
図１０は、実施形態１の変形形態２の冷蔵庫１に複数の蓄冷材を設置した状態を、製氷室扉、上段冷凍室扉を外すとともに横仕切部５３を省略して示す前面図である。
【００７９】
実施形態１の変形形態２の冷蔵庫１は、同一の幅寸法ｓ４をもつ蓄冷材９(図７(ａ)参照)を複数重畳して配置する構成としたものである。図１０では、２つの蓄冷材９を重畳して配置する構成を例示している。
【００８０】
変形形態２の冷蔵庫１の縦仕切部５４および右側壁１Ｈ２の内箱１ｂには、下方から各一対の支持リブｒ５ａ、ｒ５ｂ、ｒ５ｃが内方に突出して形成している。
【００８１】
一対の支持リブｒ５ａ、ｒ５ｂ、ｒ５ｃの上下方向には、２つの蓄冷材９をそれぞれ左右方向に斜めに傾けて嵌入できるような寸法ｓ７を有している。
【００８２】
これにより、図１０に示すように、蓄冷材９Ａが一対の支持リブｒ５ａ、ｒ５ｂ間に嵌入されて設置されるとともに、蓄冷材９Ｂが一対の支持リブｒ５ｂ、ｒ５ｃ間に嵌入されて設置される。
【００８３】
なお、この例では、２つの蓄冷材９Ａ、９Ｂを重畳して設置する構成を例示したが、支持リブを鉛直方向にさらに設け、２つ以上の蓄冷材９を重畳して設置する構成としてもよい。
【００８４】
本構成によれば、支持リブｒ５ａ、ｒ５ｂ、ｒ５ｃが多段階に形成されるので、蓄冷材９を多数保持可能である。そのため、停電の際、容器毎に蓄冷材９を投入でき、停電対応が可能である。
【００８５】
なお、本例では、支持リブｒ５ａ、ｒ５ｂ、ｒ５ｃを冷蔵庫１の左右方向に設けた場合を例示したが、冷蔵庫１の前後方向に設ける構成としてもよい。
【００８６】
図１１は、実施形態１の変形形態２の他例の冷蔵庫に複数の蓄冷材を設置した状態を、製氷室扉、上段冷凍室扉を外すとともに横仕切部５３を省略して示す前面図である。
【００８７】
変形形態２の他例の冷蔵庫１では、複数の蓄冷材９(９Ａ、９Ｂ、９Ｃ)の幅寸法ｓ４(図７(ａ)参照)を下に配置するものほど短く形成している。換言すれば、複数の蓄冷材９を下に配置するものほど幅を狭く形成している。
【００８８】
つまり、
蓄冷材９Ａの幅寸法ｓ４＜蓄冷材９Ｂの幅寸法ｓ４＜蓄冷材９Ｃの幅寸法ｓ４  の関係にある。
【００８９】
冷蔵庫１の縦仕切部５４および右側壁１Ｈ２の内箱１ｂには、下方から各一対の支持リブｒ６ａ、ｒ６ｂ、ｒ６ｃが内方に突出して形成されている。
【００９０】
そして、図７(ａ)に示す複数の蓄冷材９(９Ａ、９Ｂ、９Ｃ)の前右部９ａ３および後右部９ｂ３と、前左部９ａ４および後左部９ｂ４とをそれぞれ支持する各一対の支持リブｒ６ａ、ｒ６ｂ、ｒ６ｃの突き出し長さを下に配置するものほど長く形成している。
【００９１】
すなわち、
支持リブｒ６ａ間の距離＜支持リブｒ６ｂ間の距離＜支持リブｒ６ｃ間の距離  とし、かつ、
支持リブｒ６ａ間の距離＜蓄冷材９Ａの幅寸法ｓ４＜支持リブｒ６ｂ間の距離
支持リブｒ６ｂ間の距離＜蓄冷材９Ｂの幅寸法ｓ４＜支持リブｒ６ｃ間の距離
支持リブｒ６ｃ間の距離＜蓄冷材９Ｃの幅寸法ｓ４
の寸法関係としている。
【００９２】
これにより、図１１に示すように、幅寸法ｓ４が最も小さい蓄冷材９Ａから幅寸法ｓ４が中位の蓄冷材９Ｂ、幅寸法ｓ４が最も大きい蓄冷材９Ａが、支持リブｒ６ａ、支持リブｒ６ｂ、支持リブｒ６ｃにそれぞれ他の支持リブに邪魔されることなく載置することができる。
【００９３】
本構成によれば、上段の支持リブの長さよりも下段の支持リブの長さが長いので、蓄冷材９の冷蔵庫１への設置、取り出しが容易である。
【００９４】
なお、本例では、支持リブの長さが上段の支持リブよりも下段の支持リブの方が長くして、３つの蓄冷材９Ａ、９Ｂ、９Ｃを設置する場合を例示したが、支持リブを必要な数設けて数蓄冷材を２つまたは３つ以上設置する構成としてもよい。
【００９５】
また、本例では、支持リブｒ６ａ、ｒ６ｂ、ｒ６ｃを冷蔵庫１の左右方向に設けた場合を例示したが、冷蔵庫１の前後方向に設ける構成としてもよい。
【００９６】
＜実施形態１の変形形態３＞
図１２は、実施形態１の変形形態３の蓄冷材を示す図である。図１２(ａ)は蓄冷材の正面図であり、図１２(ｂ)は蓄冷材の前面図であり、図１２(ｃ)は蓄冷材の右側面図である。
【００９７】
変形形態３の冷蔵庫１の蓄冷材１９は、図７に示す実施形態１の蓄冷材９の幅寸法ｓ４を短く設定したものである。
【００９８】
蓄冷材１９は、蓄冷材９と同様、前部１９ａと後部１９ｂとが、中央部１９ｃより前・後部１９ａ、１９ｂにかけて末広がりに拡張され、略同一厚さをもつ形状に形成されている。すなわち、蓄冷材１９は、上面視、中央部１９ｃの両側方に切り欠き１９Ｋがそれぞれ形成された形状を有している。
【００９９】
蓄冷材１９のその他の構成は、図７に示す蓄冷材９と同様であるから、蓄冷材９の符号に１０番台の符号を付して示し、詳細な説明は省略する。
【０１００】
図１３は、変形形態３の蓄冷材を上段冷凍室と下段冷凍室との間のスペースに複数並べて設置した状態を示す冷蔵庫を前上方から見た斜視図である。
【０１０１】
冷蔵庫１では、図６の冷蔵庫１と同様に、横仕切部５３の後面側(裏面側)に後方側に延在して、蓄冷材９を保持する保持部材の保持リブｒ１ａ、ｒ１ｂを鉛直方向に対向させて、蓄冷材１９が上斜め方向から保持リブｒ１ａ、ｒ１ｂの間に嵌入されるような寸法ｓ１(図６(ｂ)参照)を有して設けている。
【０１０２】
同様に、前方側の保持リブｒ１ａ、ｒ１ｂに対向して、後方側に後壁１Ｈ３から右側壁１Ｈ２にかけて、蓄冷材９が上斜め方向から嵌入されるような寸法ｓ１(図６(ｂ)参照)を有した保持リブｒ２ａ、ｒ２ｂを鉛直方向に対向させて設けている。なお、図１３では、保持リブｒ１ｂ、ｒ２ｂは図示を省略している。
【０１０３】
上段冷凍室４と下段冷凍室５との間に形成される横仕切部５３には、蓄冷材１９の前縁被嵌入部１９ａ１が嵌入される凹形状に形成される前縁嵌入部５３ａ１が形成されている。横仕切部５３の前縁嵌入部５３ａ１は、蓄冷材１９が嵌入できるように、前縁被嵌入部９ａ１１の幅寸法ｓ６ａより若干大きい幅寸法(図３の冷蔵庫の左右方向の寸法)を有している。
【０１０４】
また、後壁１Ｈ３を形成する内箱１ｂには、蓄冷材１９の後部１９ｂ(図１２(ａ)参照)が後方側で下方から支持される下保持リブｒ１３が前方に向けて凸状に突設されている。
【０１０５】
本構成により、図１３に示すように、向かって最右に設置される蓄冷材１９Ａは、図６の矢印α１のように、斜めに前方側の保持リブｒ１ａ、ｒ１ｂの間および後方側の保持リブｒ２ａ、ｒ２ｂの間に嵌入する。この際、蓄冷材１９Ａは、前部１９ａの前縁被嵌入部１９ａ１が横仕切部(ドア補強部材)５３の前縁嵌入部５３ａ１に載置されるとともに、その後部１９ｂが下保持リブｒ１３に載置され、蓄冷材１９Ａが上段冷凍室４と下段冷凍室５との間に設置される。
【０１０６】
続いて、蓄冷材１９Ｂ、１９Ｃが、それぞれ後部１９ｂが下保持リブｒ１３に載置されるとともに、各前縁被嵌入部１９ａ１が横仕切部５３の前縁嵌入部５３ａ１に載置され、蓄冷材１９Ｂ、１９Ｃが上段冷凍室４と下段冷凍室５との間に設置される。
【０１０７】
変形形態３によれば、複数の蓄冷材１９が上段冷凍室４と下段冷凍室５との間のスペースに並べて設置できるので、停電時の際に、複数の蓄冷材１９を貯蔵室(２〜６)に入れて、貯蔵室内の食品を冷却することが可能である。なお、実施形態１の効果は同様に奏する。
【０１０８】
なお、変形形態３では、前方側の保持リブｒ１ａ、ｒ１ｂおよび後方側の保持リブｒ２ａ、ｒ２ｂを形成した場合を説明したが、これらを設けることなく、蓄冷材１９Ａ、１９Ｂ、１９Ｃをそれぞれ横仕切部５３の前縁嵌入部５３ａ１および下保持リブｒ１３で支持して、蓄冷材１９Ａ、１９Ｂ、１９Ｃを設置する構成としてもよい。
【０１０９】
また、例示した蓄冷材１９Ａを保持する前方側の保持リブｒ１ａ、ｒ１ｂおよび後方側の保持リブｒ２ａ、ｒ２ｂに加え、蓄冷材１９１９Ｂ、１９Ｃをそれぞれ上側から保持する保持リブを、蓄冷材１９Ａ、１９Ｂ、１９Ｃの嵌入、取り出しが阻害されないような位置に設けてもよい。
【０１１０】
また、蓄冷材１９を水平方向に複数並置するとともに、図１０に示すように、鉛直方向  に重畳して複数段配置する構成としてもよい。この場合、蓄冷材１９の前部１９ａと後部１９ｂとを下方からそれぞれ支持する支持リブを、鉛直方向に蓄冷材１９が嵌入、取り外しができる間隔をもって設ける。例えば、当該支持リブを、製氷室３と上段冷凍室４との間を左右方向に仕切る縦仕切部５４と右側壁１Ｈ２とに内方に突出して設けるか、または、当該支持リブを、前後方向に横仕切部５３と後壁１Ｈ３とに内方に突出して設ければよい。
＜＜実施形態２＞＞
図１４は、実施形態２の蓄冷材を示す図である。図１４(ａ)は蓄冷材の正面図、図１４(ｂ)は蓄冷材の上面図、図１４(ｃ)は蓄冷材の下面図、図１４(ｄ)は蓄冷材の右側面図、図１４(ｅ)は蓄冷材の左側面図、図１４(ｆ)は蓄冷材の背面図、図１４(ｇ)は図１４(ａ)のＢ−Ｂ線断面図である。
【０１１１】
実施形態２の冷蔵庫１は、蓄冷材を細長い直方体形状の蓄冷材２９としたものである。
【０１１２】
実施形態２の細長い直方体形状の蓄冷材２９は、そのケース２９ｋの部分が樹脂を用いて、不図示のエアー供給孔からエアーが供給され、ブロー成形で形成されている。その後、エアー供給孔から内部に、図１３(ｇ)に示すように、低温で凍結して低温状態を保持する蓄冷材成分ｇの保冷(冷却)ゲルが充填されている。蓄冷材９と同様、蓄冷材成分ｇは塩類と水の混合成分が一般的であり、凍結点以上の温度では液体もしくはゲル状の成分である。
【０１１３】
蓄冷材成分ｇの充填後、エアー供給孔はキャップ２９ｙで閉塞される。
【０１１４】
直方体形状の蓄冷材２９は、その下面２９ｓに、蓄冷材２９の厚さ方向に延在する長直方体状の凸部である足凸部２９ｆが一対、下方に向け凸設されている。蓄冷材２９は、その上面２９ｊに他の蓄冷材２９の一対の足凸部２９ｆが嵌入される足嵌入凹部２９ｆｉ(図１４(ｆ)参照)が一対凹設されている。
【０１１５】
蓄冷材２９の一対の足凸部２９ｆを他の蓄冷材２９の足嵌入凹部２９ｆｉに嵌入することで、蓄冷材２９を他の蓄冷材２９と鉛直方向に組み合わせ重畳して設置することができる。
【０１１６】
さらに、足凸部２９ｆにより、蓄冷材２９の下面２９ｓと設置面との間に冷気が流れる隙間が形成され、蓄冷材２９の冷却効果を効果的に発揮できる。
【０１１７】
蓄冷材２９の左・右端縁部２９ｅ、２９ｒには、他の蓄冷材２９と組み合わせるために、それぞれ組み凸部２９ｔが複数突設されている。
【０１１８】
蓄冷材２９の前面２９ｚ、後面２９ｕにはそれぞれ他の蓄冷材２９の組み凸部２９ｔが嵌入される凹状の組み凹部２９ｉが複数凹設されている。
【０１１９】
図１４(ａ)に示す蓄冷材２９の高さ寸法ｓ８は、食品の高さに合わせて決定している。これにより、食品の大きさに対応して蓄冷材２９を配置することができる。
【０１２０】
＜蓄冷材２９同士の組み付け＞
図１５(ａ)は、蓄冷材同士の組み付け方法を示す図であり、図１５(ｂ)は、蓄冷材同士を組み付けた状態を示す図である。
【０１２１】
図１５(ａ)に示すように、蓄冷材２９Ａは、その左・右端縁部２９ｅ、２９ｒの何れかの組み凸部２９ｔを、他の蓄冷材２９Ｂの前面２９ｚまたは後面２９ｕの組み凹部２９ｉに嵌入することで、他の蓄冷材２９Ｂと水平方向に組み付けられる(図１５(ｂ)参照)。
【０１２２】
図１６(ａ)は、図１５(ｂ)の組み凸部と組み凹部との嵌合状態を示すＣ−Ｃ線断面拡大図であり、図１６(ｂ)は、図１６(ａ)のＤ−Ｄ線断面図である。
【０１２３】
蓄冷材２９Ａの組み凸部２９ｔは円柱状の形状を有している。一方、蓄冷材２９Ｂの組み凹部２９ｉは、嵌入される円柱状の組み凸部２９ｔとほぼ同じまたは若干大きな異なる形状または非同一の形状の有底直方体状の凹部として凹設されている。そのため、蓄冷材２９Ａの組み凸部２９ｔと蓄冷材２９Ｂの組み凹部２９ｉとの間には、空隙ｓｐが形成されている。なお、蓄冷材２９Ａの組み凸部２９ｔと蓄冷材２９Ｂの組み凹部２９ｉとは弾性変形で嵌合されるように構成してもよい。
【０１２４】
本構成により、図１５(ａ)に示すように、蓄冷材２９Ａと蓄冷材２９Ｂとを組み付けるに際して、蓄冷材２９Ａの組み凸部２９ｔと蓄冷材２９Ｂの組み凹部２９ｉとの間に、図１６(ａ)に示す空隙ｓｐが形成されるので、容易に蓄冷材２９Ａの組み凸部２９ｔを蓄冷材２９Ｂの組み凹部２９ｉ内に嵌入でき、蓄冷材２９Ａと蓄冷材２９Ｂとを組み付けることが可能である。
【０１２５】
一方、図１５(ｂ)に示す蓄冷材２９Ａと蓄冷材２９Ｂとを組み付けた状態から取り外すに際しても、蓄冷材２９Ａの組み凸部２９ｔと蓄冷材２９Ｂの組み凹部２９ｉとの間に、図１６(ａ)に示す空隙ｓｐが形成されるので、組み凸部２９ｔと組み凹部２９ｉとを同形状とするのに比較し、組み凸部２９ｔと組み凹部２９ｉとの間に空気層が介在し易く、容易に取り外すことが可能である。
【０１２６】
図１７(ａ)〜(ｃ)は、蓄冷材の組み凸部の形状と蓄冷材の組み凹部の形状とのバリエーションを示す図１５(ｂ)の組み凸部と組み凹部の嵌合状態を示すＣ−Ｃ線断面拡大図である。
【０１２７】
図１７(ａ)では、蓄冷材２９Ａの組み凸部２９ｔ１は円柱状の形状を有している。一方、蓄冷材２９Ｂの組み凹部２９ｉ１は、嵌入される円柱状の組み凸部２９ｔ１とほぼ同じまたは若干大きな異なる形状または非同一の形状の有底三角柱状状の凹部として凹設されている。そのため、蓄冷材２９Ａの組み凸部２９ｔ１と蓄冷材２９Ｂの組み凹部２９ｉ１との間には、図１６(ａ)と同様に、空隙ｓｐが形成されている。
【０１２８】
図１７(ｂ)では、蓄冷材２９Ａの組み凸部２９ｔ２は円柱状の形状を有している。一方、蓄冷材２９Ｂの組み凹部２９ｉ２は、嵌入される円柱状の組み凸部２９ｔ２とほぼ同じまたは若干大きな異なる形状または非同一の形状の有底五角柱状の凹部として凹設されている。そのため、蓄冷材２９Ａの組み凸部２９ｔ２と蓄冷材２９Ｂの組み凹部２９ｉ２との間には、図１６(ａ)と同様に、空隙ｓｐが形成されている。
【０１２９】
図１７(ｃ)では、蓄冷材２９Ａの組み凸部２９ｔ３は円柱状の形状を有している。一方、蓄冷材２９Ｂの組み凹部２９ｉ３は、嵌入される円柱状の組み凸部２９ｔ３とほぼ同じまたは若干大きな異なる形状または非同一の形状の有底六角柱状の凹部として凹設されている。そのため、蓄冷材２９Ａの組み凸部２９ｔ３と蓄冷材２９Ｂの組み凹部２９ｉ３との間には、図１６(ａ)と同様に、空隙ｓｐが形成されている。
【０１３０】
図１７(ａ)〜(ｃ)の構成においても、蓄冷材２９Ａの組み凸部２９ｔ１、２９ｔ２、２９ｔ３と蓄冷材２９Ｂの組み凹部２９ｉ１、２９ｉ２、２９ｉ３とは弾性変形で嵌合されるように構成してもよい。
蓄冷材２９Ａの組み凸部２９ｔと蓄冷材２９Ｂの組み凹部２９ｉとの間に、空隙ｓｐが形成されるので、両者を同形状とするのに比べ、組み凸部２９ｔと組み凹部２９ｉとの間に空気層が形成され易く、蓄冷材２９Ａと蓄冷材２９Ｂとの組み付け、取り外しが容易に行える。
【０１３１】
図１８は、蓄冷材を鉛直方向に重畳した状態を示す図である。
【０１３２】
蓄冷材２９は、その下面２９ｓの一対の足凸部２９ｆ(図１４(ａ)参照)を他の蓄冷材２９の上面２９ｊの一対の足嵌入凹部２９ｆｉ(図１４(ｇ)参照)に嵌入することで、他の蓄冷材２９の上に鉛直方向に組み付けられる。これを繰り返すことで、任意数の蓄冷材２９を鉛直方向に接続して重畳することが可能である。
【０１３３】
図１５に示すように、蓄冷材２９Ａの組み凸部２９ｔと蓄冷材２９Ｂの組み凹部２９ｉとを繰り返し嵌合していくことで、上段冷凍室４，下段冷凍室５の各収納容器４ｂ、５ｂ内に、図１９に示すように、複数の蓄冷材２９を組み付けたものを設置することができる。図１９は、蓄冷材を組み合わせて冷凍室の収納容器内に設置した状態を示す斜視図である。
【０１３４】
図２０(ａ)は、図１９のＥ方向矢視図であり、図２０(ｂ)は、冷凍室の収納容器に蓄冷材２９の下面２９ｓの一対の足凸部２９ｆが嵌合する足嵌合部を設けた図１９の一部切り欠き断面を含むＥ方向矢視図である。
【０１３５】
上段冷凍室４，下段冷凍室５の各収納容器４ｂ、５ｂに複数の蓄冷材２９を組んで設置した場合、図２０(ａ)のようになる。
【０１３６】
ここで、収納容器４ｂ、５ｂの下面板４ｂ１、５ｂ１は平板であるので、組んだ蓄冷材２９の足凸部２９ｆは下面板４ｂ１、５ｂ１の上をスライド自在に移動する。
【０１３７】
そこで、収納容器４ｂ、５ｂ内の蓄冷材２９をスライド移動させたくない場合には、蓄冷材２９の足凸部２９ｆが嵌合する凹状の足嵌合部４ｂ２、５ｂ２を収納容器４ｂ、５ｂの下面板４ｂ１、５ｂ１に設けるとよい。
【０１３８】
これにより、収納容器４ｂ、５ｂ内の蓄冷材２９はスライド移動が抑制され、収納容器４ｂ、５ｂ内で蓄冷材２９を所定位置に位置決めして、水平方向の移動を抑制できる。
【０１３９】
図２１(ａ)は、３つの蓄冷材２９をＨ型に組み付ける方法を示す図であり、図２１(ｂ)は、Ｈ型に組んだ蓄冷材２９を冷凍室の収納容器に設置した状態を示す斜視図である。
【０１４０】
図２１(ａ)に示すように、蓄冷材２９Ａの右端縁部２９ｒの組み凸部２９ｔを、蓄冷材２９Ｂの前面２９ｚの中央部の組み凹部２９ｉに嵌入する。また、蓄冷材２９Ａの左端縁部２９ｒの組み凸部２９ｔを、蓄冷材２９Ｃの後面２９ｕの中央部の組み凹部２９ｉに嵌入する。これにより、３つの蓄冷材２９のＨ型のアッセンブリ２９Ｓが構成される。
【０１４１】
そして、図２１(ｂ)に示すように、３つの蓄冷材２９のＨ型のアッセンブリ２９Ｓを、上段冷凍室４、下段冷凍室５の各収納容器４ｂ、５ｂ内に設置することができる。
【０１４２】
この場合、収納容器４ｂ、５ｂ内の蓄冷材２９をスライド移動させたくない場合には、図２０(ｂ)と同様に、蓄冷材２９の足凸部２９ｆが嵌合する凹状の足嵌合部を設ければよい。
【０１４３】
或いは、図２１(ｂ)の二点鎖線で示すように、収納容器４ｂ、５ｂの側面板４ｂ２、５ｂ３の内面側に、蓄冷材２９の左・右端縁部２９ｅ、２９ｒの組み凸部２９ｔが案内される凹状の縦溝３ｂ４，４ｂ４を設けてもよい。これにより、収納容器４ｂ、５ｂ内で組んだ蓄冷材２９を水平方向に位置決めでき、意図せぬ移動を抑制できる。
【０１４４】
図２２は、実施形態２の別例の蓄冷材を示す図である。図２２(ａ)は実施形態２の別例の蓄冷材の正面図、図２２(ｂ)は別例の蓄冷材の上面図、図２２(ｃ)は別例の蓄冷材の下面図、図２２(ｄ)は別例の蓄冷材の右側面図、図２２(ｅ)は図２２(ａ)のＦ−Ｆ線断面図である。
【０１４５】
実施形態２の別例の蓄冷材３９は、下面３９ｓに設ける足凸部３９ｆを円柱状に形成して突設したものである。その他の構成は、説明した図１４に示す蓄冷材２９と同様であるから同様な構成要素に３０番台の符号を付して示し、詳細な説明は省略する。
【０１４６】
これに伴い、蓄冷材３９は、その上面３９ｊに他の蓄冷材３９の一対の円柱状の足凸部３９ｆが嵌入される足嵌入凹部３９ｆｉが、円柱状の足凸部３９ｆとほぼ同じまたは若干大きな異なる形状または非同一の形状の有底直方体状に一対凹設されている。足凸部３９ｆと足嵌入凹部３９ｆｉとは弾性変形で嵌合されるように構成してもよい。
【０１４７】
実施形態２の別例によれば、蓄冷材３９の下面３９ｓの足凸部３９ｆは円柱状である一方、他の蓄冷材３９の上面３９ｊの足嵌入凹部３９ｆｉは円柱状の足凸部３９ｆとほぼ同じまたは若干大きな形状の有底直方体状を呈するので、蓄冷材３９の下面３９ｓの一つの足凸部３９ｆを、他の蓄冷材３９の上面３９ｊの足嵌入凹部３９ｆｉに嵌合させた際には、水平方向に互いに回動自在であるというメリットがある。
【０１４８】
図２３(ａ)は、実施形態２の別例の蓄冷材を収納容器に設置した場合の図１９のＥ方向矢視図であり、図２３(ｂ)は、冷凍室の収納容器に別例の蓄冷材の下面の一対の足凸部が嵌合する足嵌合部を設けた図１９の一部切り欠き断面を含むＥ方向矢視図である。
【０１４９】
上段冷凍室４，下段冷凍室５の各収納容器４ｂ、５ｂに複数の蓄冷材３９を組んで設置した場合、図２３(ａ)のようになる。
【０１５０】
ここで、収納容器４ｂ、５ｂの下面板４ｂ１、５ｂ１は平板であるので、組んだ蓄冷材３９の足凸部３９ｆは下面板４ｂ１、５ｂ１の上をスライド自在に移動する。
【０１５１】
そこで、収納容器４ｂ、５ｂ内の蓄冷材３９をスライド移動させたくない場合には、図２３(ｂ)に示すように、蓄冷材３９の足凸部３９ｆが嵌合する凹状の足嵌合部４ｂ２、５ｂ２を設けるとよい。これにより、収納容器４ｂ、５ｂ内の蓄冷材３９はスライド移動が抑制され、収納容器４ｂ、５ｂ内で蓄冷材３９を決まった位置に位置決めし、水平方向の移動を抑制できる。
【０１５２】
＜実施形態２の変形形態１＞
図２４は、実施形態２の変形形態１の蓄冷材を示す図である。図２４(ａ)は実施形態２の変形形態１の蓄冷材の正面図、図２４(ｂ)は蓄冷材の上面図、図２４(ｃ)は蓄冷材の下面図、図２４(ｄ)は蓄冷材の右側面図、図２４(ｅ)は図２４(ａ)のＧ−Ｇ線断面図である。
【０１５３】
変形形態１の蓄冷材４９は、外郭を形成するケースを、左右で２分割として成形するケース４９ｋ１、４９ｋ２としたものである。
【０１５４】
ケース４９ｋ１、４９ｋ２は、それぞれＡＢＳ(Acrylonitrile−Butadiene−Styren)、ＰＳ(polystyrene)などの樹脂を用いて射出成形で形成されている。なお、ケース４９ｋ１、４９ｋ２の材質は、ＡＢＳ、ＰＳに限定されないのは勿論である。
【０１５５】
また、ケース４９ｋ内においては、図２４(ｅ)に示すように、低温で凍結して低温状態を保持する蓄冷材成分ｇの保冷(冷却)ゲルを袋体ｆに充填している。袋体ｆは樹脂層に金属箔層を積層したガス・液体バリア性を有するものである。
【０１５６】
蓄冷材成分ｇを充填した袋体ｆをケース４９ｋ１、４９ｋ２内に収納し、ケース４９ｋ１、４９ｋ２を互いに係止させて蓄冷材４９を形成している。
【０１５７】
その他の構成は、図１４に示す蓄冷材２９と同様であるから、同様な構成要素には４０番台の符号を付して示し、詳細な説明は省略する。
【０１５８】
図２５(ａ)は、実施形態２の変形形態１の蓄冷材４９を適用した図１９のＥ方向矢視図であり、図２５(ｂ)は、冷凍室の収納容器に蓄冷材４９の下面の一対の足凸部が嵌合する足嵌合部を設けた図１９の一部切り欠き断面を含むＥ方向矢視図である。
【０１５９】
上段冷凍室４，下段冷凍室５の各収納容器４ｂ、５ｂに複数の蓄冷材４９を組んで設置した場合、図２５(ａ)のようになる。
【０１６０】
ここで、収納容器４ｂ、５ｂの下面板４ｂ１、５ｂ１は平板であるので、組んだ蓄冷材４９の足凸部４９ｆは下面板４ｂ１、５ｂ１の上をスライド自在に移動する。
【０１６１】
そこで、収納容器４ｂ、５ｂ内の蓄冷材４９をスライド移動させたくない場合には、前記と同様、蓄冷材４９の足凸部４９ｆが嵌合する凹状の足嵌合部４ｂ２、５ｂ２を下面板４ｂ１、５ｂ１に設けるとよい。これにより、収納容器４ｂ、５ｂ内の蓄冷材４９はスライド移動が抑制され、収納容器４ｂ、５ｂ内で蓄冷材４９を所定位置に位置決めして、水平方向の移動を抑制できる。
【０１６２】
実施形態２の変形形態１によれば、蓄冷材４９のケース４９ｋ１、４９ｋ２は、射出成形で独立して成形されるので、肉厚の調整が可能で蓄冷材４９の強度向上を図ることができる。
【０１６３】
そのため、蓄冷材４９を落下させた場合にも、蓄冷材成分ｇが蓄冷材４９から漏出することを抑制できる。
【０１６４】
図２６は、実施形態２の変形形態１の別例の蓄冷材５９を示す図である。図２６(ａ)は実施形態２の変形形態１の別例の蓄冷材の正面図、図２６(ｂ)は別例の蓄冷材の上面図、図２６(ｃ)は別例の蓄冷材の下面図、図２６(ｄ)は別例の蓄冷材の右側面図、図２６(ｅ)は図２６(ａ)のＨ−Ｈ線断面図である。
【０１６５】
実施形態２の変形形態１の別例の蓄冷材５９は、下面５９ｓに設ける足凸部５９ｆを円柱状に形成して突設したものである。その他の構成は、説明した図１４に示す蓄冷材２９と同様であるから同様な構成要素に５０番台の符号を付して示し、詳細な説明は省略する。
【０１６６】
蓄冷材５９は、その上面５９ｊに他の蓄冷材５９の一対の円柱状の足凸部５９ｆが嵌入される足嵌入凹部５９ｆｉが、有底直方体状に一対凹設されている。足嵌入凹部５９ｆｉは、円柱状の足凸部５９ｆとほぼ同じまたは若干大きな形状の有底直方体状の凹部として形成されている。
【０１６７】
図２７(ａ)は、実施形態２の変形形態１の別例の蓄冷材を収納容器に設置した場合の図１９のＥ方向矢視図であり、図２７(ｂ)は、冷凍室の収納容器に実施形態２の変形形態１の別例の蓄冷材の下面の一対の足凸部が嵌合する足嵌合部を設けた図１９の一部切り欠き断面を含むＥ方向矢視図である。
【０１６８】
上段冷凍室４，下段冷凍室５の各収納容器４ｂ、５ｂに複数の蓄冷材５９を組んで設置した場合、図２７(ａ)のようになる。
【０１６９】
ここで、収納容器４ｂ、５ｂの下面板４ｂ１、５ｂ１は平板であるので、組んだ蓄冷材５９の足凸部５９ｆは下面板４ｂ１、５ｂ１の上をスライド自在に移動する。
【０１７０】
そこで、収納容器４ｂ、５ｂ内の蓄冷材５９をスライド移動させたくない場合には、前  記したように、蓄冷材５９の足凸部５９ｆが嵌合する凹状の足嵌合部４ｂ２、５ｂ２を下面板４ｂ１、５ｂ１に設けるとよい。これにより、収納容器４ｂ、５ｂ内の蓄冷材５９はスライド移動が抑制され、収納容器４ｂ、５ｂ内で蓄冷材５９を決まった位置に位置決めして、水平方向の移動を抑制できる。
【０１７１】
実施形態２の変形形態１の別例によれば、蓄冷材５９の下面５９ｓの足凸部５９ｆは円柱状である一方、他の蓄冷材５９の上面５９ｊの足嵌入凹部５９ｆｉは円柱状の足凸部５９ｆとほぼ同じまたは若干大きな形状をもつ有底直方体状を呈するので、蓄冷材５９の下面５９ｓの一つの足凸部５９ｆを、他の蓄冷材５９の上面４５ｊの足嵌入凹部５９ｆｉに嵌合させた際には、水平方向に互いに回動自在であるというメリットがある。
＜＜実施形態３＞＞
図２８は、実施形態３の蓄冷材を示す図である。図２８(ａ)は実施形態３の蓄冷材の正面図、図２８(ｂ)は蓄冷材の上面図、図２８(ｃ)は蓄冷材の下面図、図２８(ｄ)は蓄冷材の右側面図、図２８(ｅ)は蓄冷材の左側面図、図２８(ｆ)は図２８(ａ)のＩ−Ｉ線断面図である。
【０１７２】
なお、蓄冷材６９の背面図は、図２８(ａ)の蓄冷材の正面図と同様であるから省略する。
【０１７３】
実施形態３の冷蔵庫１の蓄冷材６９は、図７に示す実施形態１の蓄冷材９の幅寸法ｓ４を短く設定し蓄冷材を細長い直方体形状の蓄冷材６９としたものである。蓄冷材６９は、蓄冷材９と同様、左部６９ａと右部６９ｂとが、中央部６９ｃより左・右部６９ａ、６９ｂにかけて末広がりに拡張され、略同一厚さをもつ形状に形成されている。すなわち、蓄冷材６９は、正面視、中央部６９ｃの両側方に切り欠き６９Ｋ、６９Ｋがそれぞれ形成された形状を有している。蓄冷材６９のその他の構成は、図７に示す蓄冷材９と同様であるから、蓄冷材９と同様な構成要素には、６０番台の符号を付して示し、重複する説明は省略する。
【０１７４】
実施形態３の蓄冷材６９の左・右端縁部６９ｅ、６９ｒには、他の蓄冷材６９と組み合わせるために、それぞれ円柱状の組み凸部６９ｔが複数突設されている。
【０１７５】
そして、蓄冷材６９の前面６９ｚ、後面６９ｕにはそれぞれ他の蓄冷材６９の円柱状の組み凸部６９ｔが嵌入される凹状の有底直方体状の組み凹部６９ｉが複数凹設されている。組み凹部６９ｉは、円柱状の組み凸部６９ｔとほぼ同じまたは若干大きな形状の有底直方体状の凹部として形成されている。円柱状の組み凸部６９ｔと有底直方体状の凹部の組み凹部６９ｉとは、弾性変形で嵌合されるように構成してもよい。
【０１７６】
蓄冷材６９の上面６９ｊの中央には、蓄冷材９をブロー成形する際に、エアーを入れる空気供給孔(図示せず)がキャップ６９ｙにより閉塞されている。キャップ６９ｙが配置される箇所は、ユーザの手がキャップ６９ｙに掛からないように、凹設(凹状に形成)された切り欠き６９Ｋ(図２８(ａ)参照)としている。
【０１７７】
図２８(ｆ)に示すように、蓄冷材６９のカバー６９ｋの内部には、低温で凍結して低温状態を保持する蓄冷材成分ｇの保冷(冷却)ゲルが充填されている。蓄冷材成分は塩類と水の混合成分が一般的であり、凍結点以上の温度では液体もしくはゲル状の成分である。
【０１７８】
図２８(ａ)に示す左・右部６９ａ、６９ｂの寸法ｓ９は、食品の高さに合わせて決定している。これにより、食品の大きさに対応して蓄冷材６９を配置することが可能である。
【０１７９】
次に、蓄冷材６９(６９Ａ、６９Ｂ)の組み付け法およびその設置について説明する。
【０１８０】
図２９(ａ)は、蓄冷材の組み付け方法を示す斜視図であり、図２９(ｂ)は、蓄冷材を組み付けた状態を示す図である。
【０１８１】
図２９(ａ)に示すように、蓄冷材６９Ａの左端縁部６９ｅの組み凸部６９ｔを蓄冷材６９Ｂの後面６９ｕの端部の組み凹部６９ｉに嵌入することで、図２９(ｂ)に示すように、蓄冷材６９Ａと蓄冷材６９Ｂとが組み付けられる。
【０１８２】
同様な作業を繰り返すことで、任意数の蓄冷材６９の組み付けることができる。
【０１８３】
図３０は、組み付けた蓄冷材を収納容器に設置した状態を示す図であり、図３１は、図３０のＪ方向矢視図である。
【０１８４】
ユーザは、図３０、図３１に示すように、複数の蓄冷材６９を組み付けたものを、上段冷凍室４、下段冷凍室５の収納容器４ｂ，５ｂ内に設置することができる。
【０１８５】
次に、蓄冷材６９(６９Ａ、６９Ｂ、６９Ｃ)の別の組み付け法およびその設置について説明する。
【０１８６】
図３２(ａ)は、他の蓄冷材の組み付け方法を示す斜視図であり、図３２(ｂ)は、他の蓄冷材の組み付けたものを収納容器に設置した状態を示す斜視図である。
【０１８７】
蓄冷材６９Ａの左端縁部６９ｅの組み凸部６９ｔを蓄冷材６９Ｂの後面６９ｕの中央部の組み凹部６９ｉに嵌入する。
【０１８８】
また、蓄冷材６９Ａの右端縁部６９ｒの組み凸部６９ｔを蓄冷材６９Ｃの前面６９ｚの中央部の組み凹部６９ｉに嵌入する。
【０１８９】
こうして、３つの蓄冷材６９Ａ、６９Ｂ、６９ＣがＨ型に組み付けられる。
【０１９０】
Ｈ型に組み付けた蓄冷材６９Ａ、６９Ｂ、６９Ｃは、図３２(ｂ)に示すように、上段冷凍室４、下段冷凍室５の収納容器４ｂ，５ｂ内に設置することができる。
【０１９１】
実施形態３によれば、蓄冷材６９を所望の形に組んで収納容器４ｂ，５ｂ内に設置することが可能である。
【０１９２】
停電に際して、冷蔵庫１の各貯蔵室に、上段冷凍室４、下段冷凍室５に設置した蓄冷材６９を設置でき、停電時の食品の冷却保存を図ることができる。また、停電時、蓄冷材６９を他の貯蔵室に移して、食品を冷却することができる。
【０１９３】
蓄冷材６９の長さを適宜調整することで、ユーザの意向に沿った蓄冷材６９の配置が可能になる。
【０１９４】
その他、実施形態１の作用効果は同様に奏する。
【０１９５】
なお、蓄冷材６９の下面６９ｓに足凸部６９ｆ(図２８(ａ)に破線で示す)を設けるとともに、蓄冷材６９の上面６９ｊに他の蓄冷材６９の一対の足凸部６９ｆが嵌入される足嵌入凹部６９ｆｉ(図２８(ｂ)に破線で示す)を一対凹設してもよい。
【０１９６】
これにより、蓄冷材６９の足凸部６９ｆにより、蓄冷材６９の下面６９ｓの下を冷気が流れることができる。また、蓄冷材６９の足凸部６９ｆを他の蓄冷材６９の足嵌入凹部６９ｆｉに嵌入し、蓄冷材６９を他の蓄冷材６９と鉛直方向に組み合わせることができる。
【０１９７】
この場合、収納容器４ｂ、５ｂ内の蓄冷材６９をスライド移動させたくない場合には、図２０(ｂ)、図２３(ｂ)と同様な蓄冷材６９の足凸部６９ｆが嵌合する凹状の足嵌合部を収納容器４ｂ、５ｂの下面板４ｂ１、５ｂ１に設けるとよい。
【０１９８】
また、図３２(ｂ)の二点鎖線で示すように、収納容器４ｂ、５ｂの側面板４ｂ３、５ｂ３に、蓄冷材６９の左・右端縁部６９ｅ、６９ｒの組み凸部６９ｔが案内される縦溝４ｂ４，５ｂ４を設けてもよい。これにより、収納容器４ｂ、５ｂ内で組んだ蓄冷材６９を水平方向に位置決めでき、意図せぬ移動を抑制できる。
【０１９９】
なお、蓄冷材６９は、実施形態１で説明した種々の構成に適用できる。
＜＜その他の実施形態＞＞
なお、前記実施形態では、様々な構成を説明したが、それぞれの構成を適宜組み合わせて構成してもよい。
【０２００】
また、前記実施形態では、冷蔵室、冷凍室、野菜室がある冷蔵庫を例示して説明したが、鉛直方向に冷凍室が複数配置されるものであれば、その他の冷蔵庫や、冷凍室から成る冷凍庫など、例示した冷蔵庫１に限定されず、幅広く適用可能である。
【符号の説明】
【０２０１】
１      冷蔵庫
４ｂ、５ｂ  収納容器(収納ケース)
４ｂ２、５ｂ２  足嵌合部(足受け部)
４      上段冷凍室(冷凍室)
５      下段冷凍室(冷凍室)
９、１９、２９、３９、４９、５９、６９  蓄冷材
９Ｋ、１９Ｋ、６９Ｋ  切り欠き(切り欠き部)
５３ａ、５３ａ１  前縁嵌入部(保持部)
ｒ１ａ、ｒ１ｂ、ｒ２ａ、ｒ２ｂ  保持リブ(保持部)
ｒ１３、ｒ３  下保持リブ(保持部)
ｒ５ａ、ｒ５ｂｒ５ｃ  支持リブ(保持部)
ｒ６ａ、ｒ６ｂ、ｒ６ｃ  支持リブ(保持部、上の保持部より長い下の保持部)
２９ｉ、３９ｉ、４９ｉ、５９ｉ、６９ｉ  組み凹部(嵌合凹部)
２９ｆ、３９ｆ、４９ｆ、５９ｆ、６９ｆ  足凸部(足支持部)
２９ｔ、３９ｔ、４９ｔ、５９ｔ、６９ｔ  組み凸部(嵌合凸部)
【図１】
2013076495.tif 000003
【図２】
2013076495.tif 000004
【図３】
2013076495.tif 000005
【図４】
2013076495.tif 000006
【図５】
2013076495.tif 000007
【図６】
2013076495.tif 000008
【図７】
2013076495.tif 000009
【図８】
2013076495.tif 000010
【図９】
2013076495.tif 000011
【図１０】
2013076495.tif 000012
【図１１】
2013076495.tif 000013
【図１２】
2013076495.tif 000014
【図１３】
2013076495.tif 000015
【図１４】
2013076495.tif 000016
【図１５】
2013076495.tif 000017
【図１６】
2013076495.tif 000018
【図１７】
2013076495.tif 000019
【図１８】
2013076495.tif 000020
【図１９】
2013076495.tif 000021
【図２０】
2013076495.tif 000022
【図２１】
2013076495.tif 000023
【図２２】
2013076495.tif 000024
【図２３】
2013076495.tif 000025
【図２４】
2013076495.tif 000026
【図２５】
2013076495.tif 000027
【図２６】
2013076495.tif 000028
【図２７】
2013076495.tif 000029
【図２８】
2013076495.tif 000030
【図２９】
2013076495.tif 000031
【図３０】
2013076495.tif 000032
【図３１】
2013076495.tif 000033
【図３２】
2013076495.tif 000034